(57)【特許請求の範囲】
【請求項１】
無彩色の顔料インクから成る色材と有彩色の染料インクから成る色材とを用いて記録媒体に画像を形成するために、入力値を、無彩色成分値および有彩色成分値を含む出力値に変換する色変換装置であって、
前記入力値を、第１の有彩色成分値と第１の無彩色成分値とを含む第１色データに変換する第１色変換手段と、
前記入力値を、第２の有彩色成分値と第２の無彩色成分値とを含む第２色データに変換する第２色変換手段であって、前記第２の無彩色成分値が、前記第１色データに含まれる前記第１の無彩色成分値以上となるように変換する前記第２色変換手段と、
画像形成対象の記録媒体に対する前記無彩色の顔料インクの定着性に従って調整値を決定する調整値決定手段と、
前記調整値と前記第１色データと前記第２色データとを用いて前記出力値を取得する出力値取得手段であって、前記調整値に応じて、前記第１色変換手段により変換された第１色データと前記第２色変換手段により変換された第２色データとを重み付けすることにより前記出力値を取得する出力値取得手段とを備えることを特徴とする色変換装置。
【請求項２】
前記出力値取得手段は、前記画像を記録する記録媒体に関し、前記無彩色の顔料インクの定着性が高い程、前記第１色データに対する重みを前記第２色データに対する重みに比べて小さくすることにより、前記出力値を取得することを特徴とする請求項１に記載の色変換装置。
【請求項３】
前記入力値に基づくグレー成分を決定するグレー成分決定手段と、
前記入力値に対する無彩色成分値が前記第１色データに含まれる前記第１の無彩色成分値以上となるように予め定められた、前記グレー成分に対応する有彩色成分値の補正値と無彩色成分値の補正値との関係を記憶する第２関係記憶手段とを備え、
前記第２色変換手段は、
前記入力値を変換して得られる前記第２の有彩色成分値を前記第２関係記憶手段に記憶された関係に従って決定される有彩色成分値の補正値と前記無彩色成分値の補正値とを用いて補正することにより、前記入力値を第２色データに変換することを特徴とする請求項１又は２記載の色変換装置。
【請求項４】
前記入力値と前記入力値に対する有彩色成分値との関係を記憶する第１関係記憶手段を備え、
前記第１色変換手段は、その第１関係記憶手段に記憶された関係に従って、前記入力値を前記第１色データの前記第１の有彩色成分値に変換する有彩色成分変換手段を備え、
前記第２色変換手段は、前記有彩色成分変換手段により変換された前記第１の有彩色成分値を、前記第２関係記憶手段に記憶された関係に従って決定される有彩色成分値の補正値を用いて補正して得られる値を、前記第２色データの前記第２の有彩色成分値とすることを特徴とする請求項３記載の色変換装置。
【請求項５】
前記第１色変換手段は、前記有彩色成分値取得手段により取得された前記第１の有彩色成分値に、所定の無彩色成分値を付加した第１色データを生成する第１色データ生成手段を備えることを特徴とする請求項４記載の色変換装置。
【請求項６】
前記入力値に対する無彩色成分値と有彩色成分値との関係を記憶する第３関係記憶手段と、
前記入力値に対する無彩色成分値と有彩色成分値との関係を記憶するものであり、前記入力値に対する無彩色成分値が、前記第３関係記憶手段に記憶される関係から求まる無彩色成分値以上である第４関係記憶手段とを備え、
前記第１色変換手段は、前記第３関係記憶手段に記憶された関係に従って、前記入力値を前記第１色データに変換するものであり、
前記第２色変換手段は、前記第４関係記憶手段に記憶された関係に従って、前記入力値を前記第２色データに変換するものであることを特徴とする請求項１又は２に記載の色変換装置。
【請求項７】
無彩色の顔料インクから成る色材と有彩色の染料インクから成る色材とを用いて記録媒体に画像を形成するために、入力値を、無彩色成分値および有彩色成分値を含む出力値に変換する色変換装置であって、
前記入力値に対する無彩色成分値と有彩色成分値との関係を記憶する第５関係記憶手段と、
前記入力値に対する無彩色成分値と有彩色成分値との関係を記憶するものであり、前記入力値に対する無彩色成分値が、前記第５関係記憶手段に記憶される関係から求まる無彩色成分値以上である第６関係記憶手段と、
画像形成対象の記録媒体に対する前記無彩色の顔料インクの定着性に従って調整値を決定する調整値決定手段と、
その調整値決定手段により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成手段と、
前記関係作成手段により作成された関係に応じて、前記入力値を変換し前記出力値を取得する出力値取得手段とを備えることを特徴とする色変換装置。
【請求項８】
無彩色の顔料インクから成る色材と有彩色の染料インクから成る色材とを用いて記録媒体に画像を形成するために、入力値を、無彩色成分値および有彩色成分値を含む出力値に変換する色変換装置であって、
前記入力値を、第１の有彩色成分値を含み無彩色成分値を含まない第１色データに変換する第７色変換手段と、
前記入力値を、第２の有彩色成分値と第２の無彩色成分値とを含む第２色データに変換する第８色変換手段と、
画像形成対象の記録媒体に対する前記無彩色の顔料インクの定着性に従って調整値を決定する調整値決定手段と、
前記調整値と前記第１色データと前記第２色データとを用いて前記出力値を取得する出力値取得手段であって、前記調整値に応じて、前記第７色変換手段により変換された第１色データと前記第８色変換手段により変換された第２色データとを重み付けすることにより前記出力値を取得する出力値取得手段とを備えることを特徴とする色変換装置。
【請求項９】
無彩色の顔料インクから成る色材と有彩色の染料インクから成る色材とを用いて記録媒体に画像を形成するために、入力値を、無彩色成分値および有彩色成分値を含む出力値に変換する処理をコンピュータに実行させるための色変換プログラムであって、
前記コンピュータを、
前記入力値を、第１の有彩色成分値と第１の無彩色成分値とを含む第１色データに変換する第１色変換手段と、
前記入力値を、第２の有彩色成分値と第２の無彩色成分値とを含む第２色データに変換する第２色変換手段であって、前記第２の無彩色成分値が、前記第１色データに含まれる前記第１の無彩色成分値以上となるように変換する前記第２色変換手段と、
画像形成対象の記録媒体に対する前記無彩色の顔料インクの定着性に従って調整値を決定する調整値決定手段と、
前記調整値と前記第１色データと前記第２色データとを用いて前記出力値を取得する出力値取得手段であって、前記調整値に応じて、前記第１色変換手段により変換された第１色データと前記第２色変換手段により変換された第２色データとを重み付けすることにより前記出力値を取得する出力値取得手段として機能させることを特徴とする色変換プログラム。
【請求項１０】
無彩色の顔料インクから成る色材と有彩色の染料インクから成る色材とを用いて記録媒体に画像を形成するために、入力値を、無彩色成分値および有彩色成分値を含む出力値に変換する処理をコンピュータに実行させるための色変換プログラムであって、
前記コンピュータは、
前記入力値に対する無彩色成分値と有彩色成分値との関係を記憶する第５関係記憶手段と、
前記入力値に対する無彩色成分値と有彩色成分値との関係を記憶するものであり、前記入力値に対する無彩色成分値が、前記第５関係記憶手段に記憶される関係から求まる無彩色成分値以上である第６関係記憶手段とを備え、
前記コンピュータを、
画像形成対象の記録媒体に対する前記無彩色の顔料インクの定着性に従って調整値を決定する調整値決定手段と、
その調整値決定手段により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成手段と、
前記関係作成手段により作成された関係に応じて、前記入力値を変換し前記出力値を取得する出力値取得手段として機能させることを特徴とする色変換プログラム。
【請求項１１】
無彩色の顔料インクから成る色材と有彩色の染料インクから成る色材とを用いて記録媒体に画像を形成するために、入力値を、無彩色成分値および有彩色成分値を含む出力値に変換する色変換方法であって、
前記入力値を、第１の有彩色成分値と第１の無彩色成分値とを含む第１色データに変換する第１色変換工程と、
前記入力値を、第２の有彩色成分値と第２の無彩色成分値とを含む第２色データに変換する第２色変換工程であって、前記第２の無彩色成分値が、前記第１色データに含まれる前記第１の無彩色成分値以上となるように変換する前記第２色変換工程と、
画像形成対象の記録媒体に対する前記無彩色の顔料インクの定着性に従って調整値を決定する調整値決定工程と、
前記調整値と前記第１色データと前記第２色データとを用いて前記出力値を取得する出力値取得工程であって、前記調整値に応じて、前記第１色変換工程により変換された第１色データと前記第２色変換工程により変換された第２色データとを重み付けすることにより前記出力値を取得する出力値取得工程とを備えることを特徴とする色変換方法。
【請求項１２】
無彩色の顔料インクから成る色材と有彩色の染料インクから成る色材とを用いて記録媒体に画像を形成するために、入力値を、無彩色成分値および有彩色成分値を含む出力値に変換する色変換方法であって、
画像形成対象の記録媒体に対する前記無彩色の顔料インクの定着性に従って調整値を決定する調整値決定工程と、
前記入力値に対する無彩色成分値と有彩色成分値との関係を記憶する第５関係記憶手段と、前記入力値に対する無彩色成分値と有彩色成分値との関係を記憶するものであり、前記入力値に対する無彩色成分値が、前記第５関係記憶手段に記憶される関係から求まる無彩色成分値以上である第６関係記憶手段とを用い、前記調整値決定工程により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成工程と、
前記関係作成工程により作成された関係に応じて、前記入力値を変換し前記出力値を取得する出力値取得工程とを含むことを特徴とする色変換方法。
【発明の詳細な説明】
【技術分野】
【０００１】
本発明は色変換装置、色変換プログラム、および色変換方法に関するものである。
【背景技術】
【０００２】
記録用紙にインクを吐出することにより画像を形成可能な画像形成装置が知られている。インクには大きく分けて顔料インクと染料インクとがあるが、顔料インクは染料インクに比較して定着性が低い。そのため、例えば両面印刷の裏面を印刷する場合、用紙を搬送する時に用紙搬送ローラが表面に印刷した顔料インクに接触し、用紙搬送ローラに顔料インクが付着してしまうという不都合が生じる。
【０００３】
黒インク（以下Ｋインクと称する）は顔料インクで構成される場合が多く、上述のような不都合が生じやすいので、Ｋインクの濃度（使用量）記録用紙の種類に応じた適切な値に調整することが重要である。
【０００４】
ここで、インクの定着性は、普通紙、専用紙、光沢紙など記録用紙の種類によって異なるだけではなく、例えば、普通紙の中でも製造メーカ、または製造工程などが異なると、様々に変動する。よって、最も定着性が低い記録用紙を基準としてＫインクの使用量が少ない色テーブルを作成し、それを全ての記録用紙に対して用いることとすれば、どのような記録用紙が使用されても定着性の問題は解消されるが、一方で、十分な画質（色合い）を出すことができないという別の不都合が生じる。
【０００５】
また、別の方法として、記録用紙の種類毎に最適な黒成分値を記憶した色テーブルを作成するという方法も考えられるが、このようにすると、使用可能性がある全ての記録用紙についてテーブルを作成し、記憶しなければならず、色テーブル作成工数およびメモリ使用量が膨大なものとなり、現実的ではない。
【０００６】
そこで、特許文献１には、両面印刷を行う際には、片面印刷を行う場合に比較して、色の濃度を薄くする（すなわち、インクの使用量を少なくする）技術が開示されている。このようにすれば、吐出されたインクは記録用紙に吸収され、両面印刷を行う場合であっても、既印刷面が用紙搬送ローラなどを汚すことが防止される。
【特許文献１】特開２００７−１１８２３８号公報
【発明の開示】
【発明が解決しようとする課題】
【０００７】
しかしながら、特許文献１は、両面印刷のみを問題とするものであり、インク定着性の低い記録用紙において発生し得るその他の問題点は何ら改善されない。例えば、片面印刷の場合でも、インクの定着性が低い記録用紙が用いられると、乾燥していない印刷物がユーザの指などで擦られ汚れるという問題点がある。
【０００８】
本発明は、上記問題点を解決するためになされたものであり、メモリ使用量を抑制することができると共に、出力値に含まれる無彩色成分値を、記録媒体の種類に応じた適切な値にすることができる色変換装置、色変換プログラム、色変換方法を提供することを目的としている。
【課題を解決するための手段】
【０００９】
この目的を達成するために、態様１の色変換装置は、無彩色の色材と有彩色の色材とを用いて記録媒体に画像を形成するために、入力値を、無彩色成分値および有彩色成分値を含む出力値に変換するものであって、入力値を、前記有彩色成分値を含む第１色データに変換する第１色変換手段と、同一の入力値に対する無彩色成分値が前記第１色データに含まれる無彩色成分値以上となるように、前記入力値を、前記有彩色成分値と無彩色成分値を含む第２色データに変換する第２色変換手段と、画像形成対象の記録媒体の種類に応じた調整値を決定する調整値決定手段と、その調整値決定手段により決定された調整値に応じて、前記第１色変換手段により変換された第１色データと前記第２色変換手段により変換された第２色データとを重み付けすることにより出力値を取得する出力値取得手段とを備えることを特徴とする。
【００１０】
態様２の色変換装置は、態様１記載の色変換装置において、前記入力値に基づくグレー成分を決定するグレー成分決定手段と、同一の入力値に対する無彩色成分値が前記第１色データに含まれる無彩色成分値以上となるように予め定められた、前記グレー成分に対応する有彩色成分値の補正値と無彩色成分値の補正値との関係を記憶する第２関係記憶手段とを備え、前記第２色変換手段は、前記入力値を変換して得られる有彩色成分値を前記第２関係記憶手段に記憶された関係に従って決定される有彩色成分値の補正値と前記無彩色成分値の補正値とを用いて補正することにより、前記入力値を第２色データに変換することを特徴とする。
【００１１】
態様３の色変換装置は、態様２記載の色変換装置において、入力値と前記有彩色成分値との関係を記憶する第１関係記憶手段を備え、前記第１色変換手段は、その第１関係記憶手段に記憶された関係に従って、前記入力値を前記第１色データの有彩色成分値に変換する有彩色成分変換手段を備え、前記第２色変換手段は、前記有彩色成分変換手段により変換された有彩色成分値を、前記第２関係記憶手段に記憶された関係に従って決定される有彩色成分値の補正値を用いて補正して得られる値を、第２色データの有彩色成分値とすることを特徴とする。
【００１２】
態様４の色変換装置は、態様３記載の色変換装置において、前記第１色変換手段は、前記有彩色成分値取得手段により取得された有彩色成分値に、所定の無彩色成分値を付加した第１色データを生成する第１色データ生成手段を備えることを特徴とする。
【００１３】
態様５の色変換装置は、態様１記載の色変換装置において、前記入力値に対する無彩色成分値と有彩色成分値との関係を記憶する第３関係記憶手段と、前記入力値に対する無彩色成分値と有彩色成分値との関係を記憶するものであり、同一の入力値に対する無彩色成分値が、前記第３関係記憶手段に記憶される関係から求まる無彩色成分値以上である第４関係記憶手段とを備え、前記第１色変換手段は、前記第３関係記憶手段に記憶された関係に従って、前記入力値を前記第１色データに変換するものであり、前記第２色変換手段は、前記第４関係記憶手段に記憶された関係に従って、前記入力値を前記第２色データに変換するものであることを特徴とする。
【００１４】
態様６の色変換装置は、無彩色の色材と有彩色の色材とを用いて記録媒体に画像を形成するために、入力値を、無彩色成分値および有彩色成分値を含む出力値に変換するものであって、前記入力値に対する無彩色成分値と有彩色成分値との関係を記憶する第５関係記憶手段と、前記入力値に対する無彩色成分値と有彩色成分値との関係を記憶するものであり、同一の入力値に対する無彩色成分値が、前記第５関係記憶手段に記憶される関係から求まる無彩色成分値以上である第６関係記憶手段と、画像形成対象の記録媒体の種類に応じた調整値を決定する調整値決定手段と、その調整値決定手段により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成手段と、前記関係作成手段により作成された関係に応じて、前記入力値を変換し出力値を取得する出力値取得手段とを備えることを特徴とする。
【００１５】
態様７の色変換装置は、無彩色の色材と有彩色の色材とを用いて記録媒体に画像を形成するために、入力値を、無彩色成分値および有彩色成分値を含む出力値に変換するものであって、入力値を、前記有彩色成分値を含み無彩色成分値を含まない第１色データに変換する第７色変換手段と、前記入力値を、前記有彩色成分値と無彩色成分値とを含む第２色データに変換する第８色変換手段と、画像形成対象の記録媒体の種類に応じた調整値を決定する調整値決定手段と、その調整値決定手段により決定された調整値に応じて、前記第７色変換手段により変換された第１色データと前記第８色変換手段により変換された第２色データとを重み付けすることにより出力値を取得する出力値取得手段とを備えることを特徴とする。
【００１６】
態様８の色変換装置は、態様１から７のいずれかに記載の色変換装置において、前記無彩色の色材は顔料インクで構成されることを特徴とする。
【００１７】
態様９の色変換プログラムは、無彩色の色材と有彩色の色材とを用いて記録媒体に画像を形成するために、入力値を、無彩色成分値および有彩色成分値を含む出力値に変換する処理をコンピュータに実行させるためのプログラムであって、前記コンピュータを、入力値を、前記有彩色成分値を含む第１色データに変換する第１色変換手段と、同一の入力値に対する無彩色成分値が前記第１色データに含まれる無彩色成分値以上となるように、前記入力値を、前記有彩色成分値と無彩色成分値を含む第２色データに変換する第２色変換手段と、画像形成対象の記録媒体の種類に応じた調整値を決定する調整値決定手段と、その調整値決定手段により決定された調整値に応じて、前記第１色変換手段により変換された第１色データと前記第２色変換手段により変換された第２色データとを重み付けすることにより出力値を取得する出力値取得手段として機能させることを特徴とする。
【００１８】
態様１０の色変換プログラムは、無彩色の色材と有彩色の色材とを用いて記録媒体に画像を形成するために、入力値を、無彩色成分値および有彩色成分値を含む出力値に変換する処理をコンピュータに実行させるためのプログラムであって、前記コンピュータは、前記入力値に対する無彩色成分値と有彩色成分値との関係を記憶する第５関係記憶手段と、前記入力値に対する無彩色成分値と有彩色成分値との関係を記憶するものであり、同一の入力値に対する無彩色成分値が、前記第５関係記憶手段に記憶される関係から求まる無彩色成分値以上である第６関係記憶手段とを備え、前記コンピュータを、画像形成対象の記録媒体の種類に応じた調整値を決定する調整値決定手段と、その調整値決定手段により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成手段と、前記関係作成手段により作成された関係に応じて、前記入力値を変換し出力値を取得する出力値取得手段として機能させることを特徴とする。
【００１９】
態様１１の色変換方法は、無彩色の色材と有彩色の色材とを用いて記録媒体に画像を形成するために、入力値を、無彩色成分値および有彩色成分値を含む出力値に変換する方法であって、入力値を、前記有彩色成分値を含む第１色データに変換する第１色変換工程と、同一の入力値に対する無彩色成分値が前記第１色データに含まれる無彩色成分値以上となるように、前記入力値を、前記有彩色成分値と無彩色成分値を含む第２色データに変換する第２色変換工程と、画像形成対象の記録媒体の種類に応じた調整値を決定する調整値決定工程と、その調整値決定工程により決定された調整値に応じて、前記第１色変換工程により変換された第１色データと前記第２色変換工程により変換された第２色データとを重み付けすることにより出力値を取得する出力値取得工程とを含むことを特徴とする。
【００２０】
態様１２の色変換方法は、無彩色の色材と有彩色の色材とを用いて記録媒体に画像を形成するために、入力値を、無彩色成分値および有彩色成分値を含む出力値に変換する方法であって、画像形成対象の記録媒体の種類に応じた調整値を決定する調整値決定工程と、前記入力値に対する無彩色成分値と有彩色成分値との関係を記憶する第５関係記憶手段と、前記入力値に対する無彩色成分値と有彩色成分値との関係を記憶するものであり、同一の入力値に対する無彩色成分値が、前記第５関係記憶手段に記憶される関係から求まる無彩色成分値以上である第６関係記憶手段とを用い、前記調整値決定工程により決定された調整値に応じて、前記第５関係記憶手段に記憶された無彩色成分値と有彩色成分値および前記第６関係記憶手段に記憶された無彩色成分値と有彩色成分値とを重み付けすることにより、入力値と前記無彩色成分値と有彩色成分値との関係を作成する関係作成工程と、前記関係作成工程により作成された関係に応じて、前記入力値を変換し出力値を取得する出力値取得工程とを含むことを特徴とする。
【発明の効果】
【００２１】
態様１記載の色変換装置によれば、調整値決定手段により、画像形成対象の記録媒体の種類に応じた調整値が決定され、その決定された調整値に応じて、第１色データと、同一の入力値に対する無彩色成分値が前記第１色データに含まれる無彩色成分値以上である第２色データとが重み付けされることにより出力値が取得されるので、出力値に含まれる無彩色成分値を、記録媒体の種類に応じた適切な値とすることができるという効果がある。また、記憶媒体の種類毎に最適な無彩色成分値を記憶する場合に比較して、メモリ使用量を抑制することができるという効果がある。
【００２２】
ここで、「記録媒体の種類」とは、記録媒体を、インクの定着性の程度に応じて分類したものをいう。よって、例えば、一般的には普通紙として分類される記録媒体であっても、製造メーカや製造工程の違いに起因して、インクの定着性が異なる記録媒体は、本発明においては、別種類の記録媒体とされても良い。
【００２３】
態様２記載の色変換装置によれば、態様１記載の色変換装置の奏する効果に加え、グレー成分に応じた有彩色成分値の補正値と無彩色成分値の補正とが加味された第２色データが、記録媒体の種類に応じて重み付けされ、出力値に反映されるので、グレー成分に応じて、メモリ使用量を抑制しながら画質（色合い）の低下を抑制できるという効果がある。
【００２４】
態様３記載の色変換装置によれば、態様２記載の色変換装置の奏する効果に加え、有彩色成分変換手段により変換された有彩色成分値が、第１色データと第２色データの双方に反映され、処理の効率が良いという効果がある。また、第１関係記憶手段に記憶された関係と、第２関係記憶手段に記憶された関係との２つの関係から、記録媒体の種類に応じた適切な無彩色成分値が求められるので、記録媒体の種類毎に最適な無彩色成分値を記憶する場合に比較してメモリ使用量を抑制することができるという効果がある。
【００２５】
態様４記載の色変換装置によれば、態様３記載の色変換装置の奏する効果に加え、第１色変換手段は、有彩色成分値取得手段により取得された有彩色成分値に、所定の無彩色成分値を付加した第１色データを生成するので、第１色データが容易に生成され、処理の負荷が小さいという効果がある。
【００２６】
好適には、上記「所定の無彩色成分値」は、第２関係記憶手段に記憶された関係に従って決定される無彩色成分の値が取りうる範囲の最小値以下の値である。このようにすれば、同一の入力値に対する第２色データの無彩色成分値が、常に第１色データの無彩色成分値となるような第１色データを容易に生成することができる。
【００２７】
態様５記載の色変換装置によれば、態様１記載の色変換装置の奏する効果に加え、第３関係記憶手段に記憶された関係と、第４関係記憶手段に記憶された関係との２つの関係から、記録媒体の種類に応じた適切な無彩色成分値が求められるので、記録媒体の種類毎に最適な無彩色成分値を記憶する場合に比較してメモリ使用量を抑制することができるという効果がある。
【００２８】
態様６記載の色変換装置によれば、記録媒体の種類に応じた調整値に応じて、第５関係記憶手段に記憶された無彩色成分値と有彩色成分値および第６関係記憶手段に記憶された無彩色成分値と有彩色成分値とを重み付けすることにより、入力値と前記無彩色成分値と有彩色成分値との関係が作成され、その作成された関係に応じて、入力値が変換されて出力値が取得されるので、第５関係記憶手段に記憶された関係と、第６関係記憶手段に記憶された関係との２つの関係から、記録媒体の種類に応じた適切な無彩色成分値が求められる。よって、記録媒体の種類毎に最適な無彩色成分値を記憶する場合に比較してメモリ使用量を抑制することができるという効果がある。
【００２９】
態様７記載の色変換装置によれば、調整値決定手段により、画像形成対象の記録媒体の種類に応じた調整値が決定され、その決定された調整値に応じて、無彩色成分値を含まない第１色データと、有彩色成分値と無彩色成分値とを含む第２色データとが重み付けされることにより出力値が取得されるので、出力値に含まれる無彩色成分値を、記録媒体の種類に応じた適切な値とすることができるという効果がある。また、記憶媒体の種類毎に最適な無彩色成分値を記憶する場合に比較して、メモリ使用量を抑制することができるという効果がある。
【００３０】
態様８記載の色変換装置によれば、態様１から７のいずれかに記載の色変換装置の奏する効果に加え、無彩色の色材は顔料インクで構成されるので、記録媒体への定着性が染料インクに比較して低い顔料インクの使用量に相当する無彩色成分値が、記録媒体の種類に応じた適切な値となり、記録用紙がインクに定着しないことに起因する種々の不都合が抑制される。
【００３１】
ここで、特許請求の範囲および明細書に記載の「調整値決定手段」は、３種類以上の記録媒体に対し、互いに異なる調整値を決定するものである。このようにすれば、メモリ使用量を抑制しつつ３種類以上の記録媒体に対応することができる。
【００３２】
態様９記載の色変換プログラムによれば、コンピュータを態様１記載の色変換装置と同様に機能させることができ、態様１記載の色変換装置と同様の作用効果が得られる。
【００３３】
態様１０記載の色変換プログラムによれば、コンピュータを態様６記載の色変換装置と同様に機能させることができ、態様６記載の色変換装置と同様の作用効果が得られる。
【００３４】
態様１１記載の色変換方法によれば、態様１記載の色変換装置と同様の作用効果が得られる。
【００３５】
態様１２記載の色変換方法によれば、態様６記載の色変換方法と同様の作用効果が得られる。
【発明を実施するための最良の形態】
【００３６】
以下、本発明の好ましい実施例について、添付図面を参照して説明する。図１は、本発明の色変換装置の第１実施形態であるパーソナルコンピュータ１０（以下、ＰＣ１０と称す）と、画像形成装置４０との接続関係を示した接続図である。
【００３７】
第１実施形態におけるパーソナルコンピュータ１０は、Ｒ（赤）Ｇ（緑）Ｂ（青）の各色成分値からなる入力カラーデータＲＧＢ（入力値の一例）を、Ｃ（シアン）Ｍ（マゼンタ）Ｙ（イエロー）Ｋ（ブラック）の各色成分値からなる出力カラーデータＣＭＹＫ（出力値の一例）に変換する装置であって、特に、出力カラーデータＣＭＹＫに含まれる黒成分値Ｋ（無彩色成分の一例）を、記録用紙（記録媒体の一例）の種類に応じた適切な値とすることができると共に、メモリ使用量を抑制することができる装置である。
【００３８】
ＰＣ１０は、入力カラーデータＲＧＢを変換して得られた出力カラーデータＣＭＹＫを含む印刷データを画像形成装置４０に転送する。画像形成装置４０は、ＰＣ１０から出力された印刷データに基づいて、ＣＭＹＫ各色のインクを記録用紙へ吐出して画像形成を行ういわゆるインクジェットプリンタで構成されている。この画像形成装置４０で用いられるＫインクは顔料インクで構成され、その他の有彩色ＣＭＹのインクは染料インクで構成される。顔料インクは、染料インクに比較して記録用紙への定着性が低い。よって、記録用紙に対し吐出されるＫインクが過剰であると、記録用紙にインクが定着せず、ユーザの指により擦られたり、他の部材に付着してその部材を汚すなど、種々の不都合が生じる。このインクの定着性は記録用紙の種類に応じて様々に異なるが、第１実施形態のＰＣ１０によれば、Ｋインクの使用量に相当する黒成分値Ｋが、画像形成対象の記録用紙の種類に応じた適切な値とされるので、上述のような不都合が抑制される。なお、画像形成装置４０で用いられるＫインクが特許請求の範囲に記載の無彩色の色材に相当し、Ｃインク、Ｍインク、Ｙインクが特許請求の範囲に記載の有彩色の色材に相当する。
【００３９】
画像形成装置４０の本体の前面には、開口部４２が設けられ内部が上下に仕切られている。開口部４２の下側には、複数枚の記録用紙を積層収納可能な給紙カセット４３が挿入されている。開口部４２の上側は記録済みの記録用紙が排紙される排紙部４４となっており、記録済みの記録用紙は矢印Ａ方向に排出される。
【００４０】
開口部４２の上方には、操作キー４５と、メニューや操作手順や実行中の処理の状態を表示するための液晶表示装置４６（以下、ＬＣＤ４６と称す）とが設けられている。利用者は、上記操作キー４５を押下することで、電源のオン／オフや、各機能の切り替えなどの操作を行うことができる。
【００４１】
開口部４２の前面であって、操作キー４５の下方には、メモリカードを着脱可能に装着するためのメモリカードスロット４７が設けられている。また、開口部４２の背面に設けられたＵＳＢインターフェイス４８（図２参照）には、ＵＳＢケーブル６０の一端側が接続される。そしてこのＵＳＢケーブル６０の他端側が、ＰＣ１０のＵＳＢインターフェイス１６（図２参照）に接続されることにより、画像形成装置４０とＰＣ１０とはＵＳＢケーブル６０を介し、お互いにデータ通信を行うことができるように構成されている。
【００４２】
次に、図２を参照して、ＰＣ１０と画像形成装置４０との電気的構成について説明する。図２は、ＰＣ１０と画像形成装置４０との電気的構成を示すブロック図である。ＰＣ１０は、ＣＰＵ１１、ＲＯＭ１２、ＲＡＭ１３、ハードディスクドライブ１４（以下、ＨＤＤ１４と称す）、ＵＳＢインターフェイス１６、入力装置１７、表示装置１８とを主に有し、これらはバスライン２０を介してお互いに接続されている。
【００４３】
ＣＰＵ１１は、ＲＯＭ１２やＲＡＭ１３やＨＤＤ１４に記憶される固定値やプログラムに従って、バスライン２０により接続された各部を制御する。ＲＯＭ１２は、ＰＣ１０の動作を制御するためのプログラムなどが格納されたメモリであり、ＲＡＭ１３は、ＣＰＵ１１の処理に必要なデータなどを一時的に記憶するための読み書き可能なメモリである。
【００４４】
ＨＤＤ１４は、ハードディスクドライブであり、図５から図７を参照して後述するページ印刷処理（Ｓ１）を実行するためのプリンタドライバ１４１が格納（インストール）されている。ＨＤＤ１４には、さらに、ルックアップテーブル１４２、ＧＣＲ（Ｇｒａｙ−Ｃｏｍｐｏｎｅｎｔ
Ｒｅｐｌａｃｅｍｅｎｔ）テーブル１４３、調整パラメータテーブル１４４が記憶されている。
【００４５】
ルックアップテーブル１４２は、ＰＣ１０の表示装置１８における表示色と、画像形成装置４０において形成される色とを合わせるために、入力カラーデータＲＧＢと、ＣＭＹＫの各色成分値とを対応付けて記憶するテーブルである。このルックアップテーブル１４２を参照することにより、入力カラーデータＲＧＢが、一次変換データＣ１Ｍ１Ｙ１に変換される。なお、この一次変換データＣ１Ｍ１Ｙ１に含まれる各有彩色成分値Ｃ１，Ｍ１，Ｙ１のうち、最小の値をｍｉｎＫと称することとする。
【００４６】
ＧＣＲテーブル１４３は、上記グレー成分ｍｉｎＫに対応した補正値（ΔＣ，ΔＭ，ΔＹ，ΔＫ）を決定するために参照されるテーブルである。
【００４７】
図３を参照してＧＣＲテーブル１４３について説明する。図３はＧＣＲテーブルの一例を示す図である。図３に示すように、ＧＣＲテーブル１４３は、グレー成分ｍｉｎＫを変数とし、そのグレー成分に対応するＣＭＹＫの補正値（ΔＣ，ΔＭ，ΔＹ，ΔＫ）を記憶するものである。なお、補正値（ΔＣ，ΔＭ，ΔＹ）が、特許請求の範囲に記載の「有彩色成分値の補正値」の一例に相当し、補正値ΔＫが、特許請求の範囲に記載の「無彩色成分値の補正値」に相当する。
【００４８】
このグレー成分ｍｉｎＫおよび補正値（ΔＣ，ΔＭ，ΔＹ，ΔＫ）を用いて、一次変換データＣ１Ｍ１Ｙ１を、下記（２）から（５）式に示すように補正することにより、入力カラーデータＲＧＢを第２色データＣ２Ｍ２Ｙ２Ｋ２に変換することができる。なお、下記（２）から（５）式は、第２色データＣ２Ｍ２Ｙ２Ｋ２を求めるための演算式の一例である。補正値（ΔＣ，ΔＭ，ΔＹ，ΔＫ）を用いて第２色データＣ２Ｍ２Ｙ２Ｋ２が求められる処理であれば、下記（２）から（５）式とは異なる演算であっても良い。
Ｃ２＝Ｃ１−ｍｉｎＫ＋ΔＣ ・・・（２）
Ｍ２＝Ｍ１−ｍｉｎＫ＋ΔＭ ・・・（３）
Ｙ２＝Ｙ１−ｍｉｎＫ＋ΔＹ ・・・（４）
Ｋ２＝ΔＫ ・・・（５）
なお、第１実施形態では、入力カラーデータＲＧＢを変換して得られた一次変換データＣ１Ｍ１Ｙ１に、値が「０」の黒成分値Ｋ１を付加して得られるデータを、第１色データＣ１Ｍ１Ｙ１Ｋ１と称する。一方、入力カラーデータＲＧＢを、上記グレー成分ｍｉｎＫおよび補正値（ΔＣ，ΔＭ，ΔＹ，ΔＫ）を用いて変換することにより得られるデータを、第１実施形態では、第２色データＣ２Ｍ２Ｙ２Ｋ２と称する。この第２色データＣ２Ｍ２Ｙ２Ｋ２に含まれるＫ２は、ΔＫに等しい（上記（５）式参照）。
【００４９】
図３に示すように、ΔＫは０以上の値であって、ｍｉｎＫが１２８を超えると、ｍｉｎＫの増加に伴って上昇する値である。よって、同一の入力カラーデータを変換して得られる第１色データＣ１Ｍ１Ｙ１Ｋ１と第２色データＣ２Ｍ２Ｙ２Ｋ２とを比較すると、常にＫ１≧Ｋ２の関係が成立する。すなわち第２色データＣ２Ｍ２Ｙ２Ｋ２に含まれる黒成分値Ｋ２は、常に第１色データＣ１Ｍ１Ｙ１Ｋ１に含まれる黒成分値Ｋ１以上である。
【００５０】
そして、本第１実施形態では、このようにして得られた、相対的に黒成分値が小さい第１色データＣ１Ｍ１Ｙ１Ｋ１と、相対的に黒成分値が大きい第２色データＣ２Ｍ２Ｙ２Ｋ２とを、後述する調整パラメータａに応じて、例えば、下記（６）式に示す演算式に従って重み付けすることにより、記録用紙の種類に対して適切な黒成分値Ｋを含む出力カラーデータＣＭＹＫを取得することができる。
ＣＭＹＫ＝Ｃ１Ｍ１Ｙ１Ｋ１＊ａ＋Ｃ２Ｍ２Ｙ２Ｋ２＊（１−ａ） ・・・（６）
図２に戻り説明する。調整パラメータテーブル１４４は、記録用紙の種類と、調整パラメータａとを対応付けて記憶するテーブルである。
【００５１】
図４を参照して調整パラメータテーブル１４４について説明する。図４は調整パラメータテーブル１４４の一例を模式的に示す図である。図４に例示する記録用紙の種類のうち、「専用紙」は、高画質な画像を得るために専用のコーティングが施された用紙であって、インクの定着性が最も良い。一方、用紙１，用紙２，用紙３はいずれも普通紙であって、製造工程や製造メーカの違いにより、インクの定着性が互いに異なっている。
【００５２】
ここで「インクの定着性」は、例えば、印刷後、測定対象の印刷面に、測定用の転写紙を置き、所定の圧力で、印刷面と転写紙とを擦り、印刷面の上に置いた転写紙へのインクの転写（明度）を測定することにより測ることができる。インクの定着性が低い記録用紙の場合、その印刷面から転写紙へのインク転写量は多いから、その明度が低くなる。一方、インクの定着性が高い記録用紙の場合、その印刷面から転写紙へのインク転写量が少ないので、その明度が高くなる。
【００５３】
この「インクの定着性」は、記録用紙毎に異なるだけではなく、顔料インクであるか染料インクであるかによって異なる。本実施形態では、顔料インクで構成されるＫインクの定着性を基準として、調整パラメータａが設定されているものとして説明する。
【００５４】
調整パラメータａとしては、Ｋインクの定着性が高い記録用紙ほど、小さい値が対応付けられる。その結果、第１色データＣ１Ｍ１Ｙ１Ｋ１の重みが小さく、その第１色データＣ１Ｍ１Ｙ１Ｋ１に比較して黒成分値が大きい第２色データＣ２Ｍ２Ｙ２Ｋ２の重みが大きくされる。例えば、専用紙は、インクの定着性が高いので、調整パラメータａとして、例えば「０．０」が記憶されている。よって、第１色データＣ１Ｍ１Ｙ１Ｋ１の重みが「０」とされ、第２色データＣ２Ｍ２Ｙ２Ｋ２の重みが「１」とされるので（上記（６）式参照）、高い黒成分値が得られる。その結果、Ｋインクの使用濃度が限界まで高められ、記録用紙の特性を生かし、高画質の画像を形成することができる。
【００５５】
一方、インクの定着性が低い記録用紙ほど、調整パラメータａとしては大きい値が対応付けられる。例えば、用紙１は、インクの定着性が低いので、調整パラメータａとして、例えば「１．０」が記憶されている。よって、第１色データＣ１Ｍ１Ｙ１Ｋ１の重みが「１」とされ、第２色データＣ２Ｍ２Ｙ２Ｋ２の重みが「０」とされるので（上記（６）式参照）、黒成分値が０の出力カラーデータＣＭＹＫが得られる。このようにインクの定着性が低い記録用紙については、黒成分値が制限され、インク定着性が低いことに起因する種々の不都合が抑制される。
【００５６】
なお、記録用紙の種類がユーザによって入力されなかった場合は、「その他」に対応付けられた調整パラメータａが用いられる。
【００５７】
この調整パラメータテーブル１４４は、プリンタドライバ３５１のインストール時にＨＤＤ１４４に作成される。調整パラメータテーブル１４４の作成時には、プリンタベンダーが予め想定した、３種類以上の記録用紙の種類と、それに対応する調整パラメータａとがこの調整パラメータテーブル１４４に格納されるが、ユーザが、適宜、新たな記録用紙種類とそれに対応する調整パラメータａを追加することができるように構成されている。
【００５８】
また、本実施形態のＰＣ１０は、全ての記録用紙について、上述した重み付けの演算をするものではなく、画像形成装置４０で用いられ得る特定の種類の記録用紙（例えば、光沢紙など）については、その記録用紙専用のルックアップテーブルを予め記憶しておき、そのルックアップテーブルを用いて色変換処理を行うこととしているので、記録用紙の種類に応じた重み付けの処理を行うことはしていない。しかしながら、全ての種類の記録用紙について、上述した重み付けの演算を実行するように構成されていても良い。
【００５９】
図２に戻り説明する。入力装置１７は、ユーザ指示を入力するためのものであり、例えば、キーボードやマウスなどで構成される。表示装置１８は、例えば、ＣＲＴディスプレイや液晶ディスプレイなどにより構成され、各種処理内容や入力されたデータなどを視覚的に表示するものである。
【００６０】
画像形成装置４０は、演算装置であるＣＰＵ５１と、そのＣＰＵ５１により実行される各種の制御プログラムやデータを記憶したＲＯＭ５２と、この画像形成装置４０に接続されるＰＣ１０から入力された印刷データや制御信号を記憶するためのメモリであるＲＡＭ５３とを備えている。また、これらのＣＰＵ５１、ＲＯＭ５２、ＲＡＭ５３は、バスライン５８を介して互いに接続されており、かかるバスライン５８は、入出力インターフェイス５９に接続されている。
【００６１】
この入出力ポート５９は、記録ヘッド５４と、ＣＲモータ５５と、ＬＦモータ５６とを備えた駆動部５７にも接続されており、その結果、ＣＰＵ５１により駆動部５７を駆動させて、記録用紙へ印刷を行うことができるのである。
【００６２】
記録ヘッド５４には、記録用紙へインクを吐出するためのノズルが形成されている。そして、図示しないインクカートリッジから記録ヘッド５４に供給されるＣＭＹＫのインクが、ノズルから吐出され、記録用紙に画像が形成される。
【００６３】
ＣＲモータ５５は、記録ヘッド５４を搭載するキャリッジ（図示せず）を往復移動させる駆動力を供給するものである。ＬＦモータ５６は、記録用紙を搬送する搬送ローラや排紙ローラを回動させるモータである。
【００６４】
ＣＰＵ５１は、ＰＣ１０から入力された印刷データを記録ヘッド５４による印刷が可能な印刷データに展開し、そのデータを各ノズルに対する吐出信号として、記録ヘッド５４へ出力するものである。この吐出信号に応じて記録ヘッド５４を駆動することにより、各ノズルからインクが吐出され、記録用紙に印刷が行われ、また、ＣＲモータ５５およびＬＦモータ５６は、記録ヘッド５４へ出力される吐出信号に同期して駆動されている。
【００６５】
また、入出力ポート５９は、操作キー４５，ＬＣＤ４６、メモリカードスロット４７、ＵＳＢインターフェイス４８に接続されており、その結果、ＣＰＵ５１により各部を制御することができる。
【００６６】
図５は、上記ＰＣ１０で実行される色変換処理（Ｓ６）の要部を、機能単位で説明するための機能ブロック図である。なお、図５に示す各ブロックの名称および符号は、図６、図７のフローチャートに示す色変換処理（Ｓ６）に含まれる各処理に付した名称および符号と対応させている。
【００６７】
まず、ＬＵＴを用いた色変換処理（Ｓ６２）は、ルックアップテーブル１４２（図２参照）に記憶された関係に従って、入力カラーデータＲＧＢを一次変換データＣ１Ｍ１Ｙ１に変換し、出力する。
【００６８】
第１ＣＭＹＫ変換処理（Ｓ６４）は、ＬＵＴを用いた色変換処理（Ｓ６２）から出力された一次変換データＣ１Ｍ１Ｙ１に、黒成分値Ｋ１を付加して第１色データＣ１Ｍ１Ｙ１Ｋ１を生成し出力する。なお、ここで付加される黒成分値Ｋ１は「０」である。
【００６９】
グレー成分決定処理（Ｓ６５）は、入力カラーデータＲＧＢに基づく一次変換データＣ１Ｍ１Ｙ１にグレー成分ｍｉｎＫを決定し、出力する処理である。
【００７０】
補正値取得処理（Ｓ６６）は、ＧＣＲテーブル１４３（図２参照）を用いて、グレー成分ｍｉｎＫに対応した補正値（ΔＣ，ΔＭ，ΔＹ，ΔＫ）を取得し、出力する処理である。
【００７１】
第２ＣＭＹＫ変換処理（Ｓ６７）は、グレー成分決定処理（Ｓ６５）により決定されるグレー成分ｍｉｎＫと、補正値取得処理（Ｓ６６）により取得される補正値（ΔＣ，ΔＭ，ΔＹ，ΔＫ）とを用いて、一次変換データＣ１Ｍ１Ｙ１を補正することにより、入力カラーデータＲＧＢを第２色変換データＣ２Ｍ２Ｙ２Ｋ２に変換する処理である。この第２ＣＭＹＫ変換処理（Ｓ６７）では、上記（２）式から（５）式に示す演算処理を行う。
【００７２】
調整パラメータ決定処理（Ｓ６８）は、画像形成対象の記録用紙の種類に応じた調整パラメータａを、調整パラメータテーブル１４４から取得し、出力する処理である。なお、画像形成対象の記録用紙の種類は、ユーザからの入力に基づいて決定される。
【００７３】
出力値取得処理（Ｓ７０）は、第１ＣＭＹＫ変換処理（Ｓ６４）によって変換された第１色データＣ１Ｍ１Ｙ１Ｋ１と、第２ＣＭＹＫ変換処理（Ｓ６７）によって変換された第２色データＣ２Ｍ２Ｙ２Ｋ２とを、調整パラメータａに応じて重み付けすることにより出力カラーデータＣＭＹＫを取得する処理である。この出力値取得処理（Ｓ７０）における演算処理は、上記（６）式のように表される。
【００７４】
このように、第１実施形態のＰＣ１０によれば、色変換処理（Ｓ６）を実行することにより、画像形成対象の記録用紙の種類に応じた調整パラメータａが決定され、その決定された調整パラメータａに応じて、第１色データＣ１Ｍ１Ｙ１Ｋ１と、同一の入力カラーデータＲＧＢに対する黒成分値Ｋ２が第１色データＣ１Ｍ１Ｙ１Ｋ１に含まれる黒成分値Ｋ１以上である第２色データＣ２Ｍ２Ｙ２Ｋ２とが重み付けされることにより出力カラーデータＣＭＹＫが取得されるので、出力カラーデータＣＭＹＫに含まれる黒成分値Ｋを、記録用紙の種類に応じた適切な値とすることができる。また、記憶用紙の種類に応じて記憶された調整パラメータａを用いて重み付けがされるので、記憶用紙の種類毎に最適な黒成分値Ｋを記憶する場合に比較して、メモリ使用量を抑制することができる。
【００７５】
図６は、上述したＰＣ１０で実行されるページ印刷処理（Ｓ１）を示すフローチャートである。このページ印刷処理（Ｓ１）は、ＰＣ１０において、印刷対象のデータ（以下、印刷対象データという）が指定され、ユーザによって印刷指示が出されると実行される処理であって、図５を参照して説明した色変換処理（Ｓ６）を含む処理である。なお、フローチャートの理解を容易にするために、この印刷対象のデータは、１ページ分のデータで構成されるものとして説明する。
【００７６】
ページ印刷処理（Ｓ１）では、まず、印刷サイズと用紙種類の情報を取得する（Ｓ２）。印刷サイズの情報は、印刷対象ファイルのサイズを示す情報である。また、用紙種類の情報はユーザにより入力される。
【００７７】
次に、印刷対象データから１ピクセル分のピクセルデータを、入力カラーデータＲＧＢとして取得し（Ｓ４）、この入力カラーデータＲＧＢを出力カラーデータＣＭＹＫへ変換する色変換処理（Ｓ６）を実行する。
【００７８】
そして、色変換処理（Ｓ６）により得られた出力カラーデータＣＭＹＫについてハーフトーン処理を実行し（Ｓ８）、全ピクセルを処理したか否かを判断する（Ｓ１０）。Ｓ１０の判断が否定される場合（Ｓ１０：Ｎｏ）、Ｓ４に戻り、次のピクセルデータを取得し、処理を繰り返す。
【００７９】
このようにして処理を繰り返すうちに、全ピクセルの処理を終了すると（Ｓ１０：Ｙｅｓ）、次に、得られた全ピクセル分のデータを印刷データに変換し（Ｓ１２）、画像形成装置４０へ転送し（Ｓ１４）、処理を終了する。印刷データを受信した画像形成装置４０は、印刷データに基づき、ＣＭＹＫのインクを記録用紙に吐出し、画像を形成する。
【００８０】
図７は、色変換処理（Ｓ６）を示すフローチャートである。色変換処理（Ｓ６）に含まれる各処理（Ｓ６２〜Ｓ７０）の内容は、図５に示す機能ブロック図において、同一の符号を付して詳細に説明したので、本フローチャートでは、簡単に各処理を説明する。
【００８１】
まず、ＬＵＴを用いた色変換処理（Ｓ６２）において、ルックアップテーブル１４２（図２参照）に記憶された関係に従って、入力カラーデータＲＧＢを一次変換データＣ１Ｍ１Ｙ１に変換する。
【００８２】
次に、第１ＣＭＹＫ変換処理（Ｓ６４）において、一次変換データＣ１Ｍ１Ｙ１に、値が「０」の黒成分値Ｋ１を付加して第１色データＣ１Ｍ１Ｙ１Ｋ１を生成し出力する。
【００８３】
次に、グレー成分決定処理（Ｓ６５）において、グレー成分ｍｉｎＫを決定し、補正値取得処理（Ｓ６６）により、グレー成分ｍｉｎＫに対応した補正値（ΔＣ，ΔＭ，ΔＹ，ΔＫ）を取得する。そして、第２ＣＭＹＫ変換処理（Ｓ６７）において、グレー成分ｍｉｎＫと、補正値（ΔＣ，ΔＭ，ΔＹ，ΔＫ）とを用いて、一次変換データＣ１Ｍ１Ｙ１を補正することにより、入力カラーデータＲＧＢを第２色変換データＣ２Ｍ２Ｙ２Ｋ２に変換する。
【００８４】
そして、調整パラメータ決定処理（Ｓ６８）において、画像形成対象の記録用紙の種類に応じた調整パラメータａを、調整パラメータテーブル１４４から取得し、出力値取得処理（Ｓ７０）において、第１色データＣ１Ｍ１Ｙ１Ｋ１と、第２色データＣ２Ｍ２Ｙ２Ｋ２とを、調整パラメータａに応じて重み付けすることにより出力カラーデータＣＭＹＫを取得する。
【００８５】
第１実施形態の色変換処理（Ｓ６）によれば、出力カラーデータＣＭＹＫに含まれる黒成分値Ｋを、記録用紙の種類に応じた適切な値とすることができる。
【００８６】
また、グレー成分ｍｉｎＫに対応して補正された第２色データＣ２Ｍ２Ｙ２Ｋ２が、記録用紙の種類に応じた調整パラメータａによって重み付けられて出力カラーデータＣＭＹＫに反映されるので、グレー成分に応じてメモリ使用量を抑制しながら画質（色合い）の低下を抑制できる。
【００８７】
また、ＬＵＴを用いた色変換処理（Ｓ６２）により変換された一次変換データＣ１Ｍ１Ｙ１は、第１色データＣ１Ｍ１Ｙ１Ｋ１と第２色データＣ２Ｍ２Ｙ２Ｋ２との双方に反映されるので、処理の効率が良い。
【００８８】
また、ルックアップテーブル１４２（図２参照）に記憶された関係と、ＧＣＲテーブル１４３（図２参照）に記憶された関係との２つの関係から、記録用紙の種類に応じた適切な無彩色成分値が求められるので、記録用紙の種類毎に最適な黒成分値を記憶する場合に比較してメモリ使用量を抑制することができる。
【００８９】
次に、第２実施形態について説明する。図８は、本発明の色変換装置の第２実施形態であるＰＣ１００と、画像形成装置４０との接続関係を示した接続図であり、図２に相当する図である。第２実施形態において、上記した第１実施形態と同一の部分については、同一の符号を付して説明を省略する。
【００９０】
図８に示すように、この第２実施形態のＰＣ１００のＨＤＤ１４には、第１実施形態のＰＣ１０に格納されていたプリンタドライバ１４１に代えて、図１０に示す色変換処理（Ｓ６１０）を実行するためのプリンタドライバ１４５が格納（インストール）されている。また、第３ルックアップテーブル１４６および第４ルックアップテーブル１４７が格納されている。
【００９１】
第３ルックアップテーブル１４６は、入力カラーデータＲＧＢに対する黒成分値Ｋ１と有彩色成分値Ｃ１，Ｍ１，Ｙ１との関係を記憶するテーブルである。なお、第２実施形態では、この第３ルックアップテーブル１４６に記憶された関係に従って、入力カラーデータＲＧＢを変換して得られるデータを、第１色データＣ１Ｍ１Ｙ１Ｋ１と称する。
【００９２】
第４ルックアップテーブル１４７は、入力カラーデータＲＧＢに対する黒成分値Ｋ２と有彩色成分値Ｃ２，Ｍ２，Ｙ２との関係を記憶するテーブルである。なお、第２実施形態では、この第４ルックアップテーブル１４７に記憶された関係に従って、入力カラーデータＲＧＢを変換して得られるデータを、第２色データＣ２Ｍ２Ｙ２Ｋ２と称する。
【００９３】
第３ルックアップテーブル１４６と第４ルックアップテーブル１４７とは、いずれもＰＣ１０の表示装置１８における表示色と、画像形成装置４０において形成される色とを合わせるために、入力カラーデータＲＧＢに対する黒成分値と有彩色成分値との関係を記憶するものである点において共通するが、同一の入力カラーデータＲＧＢに対する黒成分値Ｋ１と黒成分値Ｋ２とを比較すると、常にＫ２≧Ｋ１の関係が成り立つように、第３ルックアップテーブル１４６と第４ルックアップテーブル１４７とが予め作成されている。その結果、同一の入力カラーデータＲＧＢに対応する第２色データＣ２Ｍ２Ｙ２Ｋ２の黒成分値は、第１色データＣ１Ｍ１Ｙ１Ｋ１の黒成分値以上となる。
【００９４】
図９は、第２実施形態のＰＣ１００で実行される色変換処理（Ｓ６１０）の要部を、機能単位で説明するための機能ブロック図であり、図５に相当する図である。
【００９５】
まず、第３ＬＵＴを用いたＣＭＹＫ変換処理（Ｓ６１２）は、第３ルックアップテーブル１４６に記憶された関係に従って、入力カラーデータＲＧＢを第１色データＣ１Ｍ１Ｙ１Ｋ１に変換し、出力する。
【００９６】
第４ＬＵＴを用いたＣＭＹＫ変換処理（Ｓ６１４）は、第４ルックアップテーブル１４７に記憶された関係に従って、入力カラーデータＲＧＢを第２色データＣ２Ｍ２Ｙ２Ｋ２に変換し、出力する。
【００９７】
調整パラメータ決定処理（Ｓ６８）は、第１実施形態で説明したように、画像形成対象の記録用紙の種類に応じた調整パラメータａを、調整パラメータテーブル１４４から取得し、出力する処理である。
【００９８】
出力値取得処理（Ｓ６１６）は、第３ＬＵＴを用いたＣＭＹＫ変換処理（Ｓ６１２）により変換された第１色データＣ１Ｍ１Ｙ１Ｋ１と、第４ＬＵＴを用いたＣＭＹＫ変換処理（Ｓ６１４）により変換された第２色データＣ２Ｍ２Ｙ２Ｋ２とを、調整パラメータａに応じて重み付けすることにより出力カラーデータＣＭＹＫを取得する処理である。この出力値取得処理（Ｓ６１６）における演算処理を数式で表すと、第１実施形態で上述した（６）式と同一となる。
【００９９】
図１０は、第２実施形態の色変換処理（Ｓ６１０）を示すフローチャートである。この第２実施形態の色変換処理（Ｓ６１０）は、第１実施形態の色変換処理（Ｓ６）に代えて実行され得る処理である。
【０１００】
なお、図１０に示す色変換処理（Ｓ６１０）に含まれる各処理（Ｓ６１２，Ｓ６１４，Ｓ６８，Ｓ６１６）の内容は、図９に示す機能ブロック図において、同一の符号を付して詳細に説明したので、本フローチャートでは、簡単に各処理を説明する。
【０１０１】
まず、第３ＬＵＴを用いた色変換処理（Ｓ６１２）において、第３ルックアップテーブル１４６（図８参照）に記憶された関係に従って、入力カラーデータＲＧＢを第１色データＣ１Ｍ１Ｙ１Ｋ１に変換する。
【０１０２】
次に、第４ＬＵＴを用いた色変換処理（Ｓ６１４）において、第４ルックアップテーブル１４７に記憶された関係に従って、入力カラーデータＲＧＢを第２色データＣ２Ｍ２Ｙ２Ｋ２に変換する。
【０１０３】
そして、調整パラメータ決定処理（Ｓ６８）において、画像形成対象の記録用紙の種類に応じた調整パラメータａを、調整パラメータテーブル１４４から取得し、出力値取得処理（Ｓ６１６）において、第１色データＣ１Ｍ１Ｙ１Ｋ１と、第２色データＣ２Ｍ２Ｙ２Ｋ２とを、調整パラメータａに応じて重み付けすることにより出力カラーデータＣＭＹＫを取得する。
【０１０４】
ＰＣ１００によれば、２つのルックアップテーブル１４６，１４７と、調整パラメータテーブル１４４とにより、記録用紙の種類に応じた適切な黒成分値が求められるので、記録用紙の種類毎に最適な黒成分値を記憶する場合に比較してメモリ使用量を抑制することができる。
【０１０５】
また、第１色データＣ１Ｍ１Ｙ１Ｋ１および第２色データＣ２Ｍ２Ｙ２Ｋ２は、いずれも、ＰＣ１００における表示色と、画像形成装置４０において形成される色との色合わせのために予め定められた第３ルックアップテーブル１４６および第４ルックアップテーブル１４７を用いて求められる値であるから、これらを用いて得られる出力カラーデータＣＭＹＫを用いることにより、ＰＣ１００における表示色と違和感の無い色の画像を、画像形成装置４０において形成することができる。すなわち、記録用紙の種類に応じた適切な黒成分値と共に、その黒成分値に応じた適切な有彩色成分値が求められるのである。
【０１０６】
次に、第３実施形態について説明する。図１１は、本発明の色変換装置の第３実施形態であるＰＣ２００と、画像形成装置４０との接続関係を示した接続図であり、図２に相当する図である。第３実施形態において、上記した第１実施形態と同一の部分については、同一の符号を付して説明を省略する。
【０１０７】
図１１に示すように、この第３実施形態のＰＣ２００のＨＤＤ１４には、第１実施形態のＰＣ１０に格納されていたプリンタドライバ１４１に代えて、図１３に示すページ印刷処理（Ｓ７１）を実行するためのプリンタドライバ１４８が格納（インストール）されている。
【０１０８】
また、ＲＡＭ１３には、合成テーブル格納エリア１３１が設けられている。この合成テーブル格納エリア１３１には、合成テーブルが格納される。
【０１０９】
図１２は、第３ルックアップテーブル１４６と、第４ルックアップテーブル１４７と、それらに基づいて作成される合成テーブル１５０との関係を模式的に示す図である。図１２に示すように、合成テーブル１５０は、第３ルックアップテーブル１４６に記憶された各色成分値Ｃ１，Ｍ１，Ｙ１，Ｋ１と、第４ルックアップテーブル１４７に記憶された各色成分値Ｃ２，Ｍ２，Ｙ２，Ｋ２とに基づいて作成される、入力カラーデータＲＧＢと出力カラーデータＣＭＹＫとの関係を記憶するテーブルである。
【０１１０】
図１２に示すように、第３ルックアップテーブル１４６と第４ルックアップテーブル１４７とは、同一の入力カラーデータＲＧＢに対して、同一の管理番号が付されている。そして、管理番号毎に、各成分値Ｃ１，Ｍ１，Ｙ１，Ｋ１とＣ２，Ｍ２，Ｙ２，Ｋ２とが読み出され、調整パラメータａに応じて重み付けされることにより、合成テーブル１５０に格納すべき、入力カラーデータＲＧＢと出力カラーデータＣＭＹＫとの関係が決定される。管理番号ｉの入力カラーデータＲｉＧｉＢｉに対応する出力カラーデータＣＭＹＫは、下記（７）に示す演算式によって算出される。
（Ｃ，Ｍ，Ｙ，Ｋ）＝a*（Ｃ3i，Ｍ3i，Ｙ3i，Ｋ3i）+(1-a)*（Ｃ4i，Ｍ4i，Ｙ4i，Ｋ4i） ・・・（７）
このような入力カラーデータとＣＭＹＫ各色成分値との関係を、全ての管理番号について決定することにより、合成テーブル１５０が作成される。
【０１１１】
上述したように、第３ルックアップテーブル１４６と第４ルックアップテーブル１４７とを比較すると、常にＫ２≧Ｋ１の関係が成り立つ。よって、記録用紙の種類に応じた適切な黒成分値Ｋを含む出力カラーデータＣＭＹＫと、入力カラーデータＲＧＢとが対応付けられた関係を、合成テーブル１５０に記憶させることができる。
【０１１２】
また、第３ルックアップテーブル１４６および第４ルックアップテーブル１４７は、ＰＣ２００における表示色と、画像形成装置４０において形成される色との色合わせのために予め定められたテーブルであるから、これらを用いて得られる合成テーブル１５０を用いることにより、ＰＣ１００における表示色と違和感の無い色の画像を、画像形成装置４０において形成するための出力カラーデータＣＭＹＫと、入力カラーデータＲＧＢとの関係を、合成テーブル１５０に記憶させることができる。
【０１１３】
図１３（ａ）は、第３実施形態のＰＣ２００において実行されるページ印刷処理（Ｓ７１）を示すフローチャートであり、図６に対応する図である。図１３（ａ）に示すページ印刷処理（Ｓ７１）において、図６を参照して説明したページ印刷処理（Ｓ１）と同一の部分については同一の符号を付して説明を省略または簡略化する。
【０１１４】
ページ印刷処理（Ｓ７）では、まず、合成テーブル１５０（図１２参照）を作成する合成テーブル作成処理（Ｓ７１）を実行する（Ｓ７２）。なお、合成テーブル作成処理（Ｓ７１）の詳細は、図１３（ｂ）を参照して後述する。
【０１１５】
次に、印刷サイズの情報を取得する（Ｓ７４）。印刷サイズの情報は、印刷対象ファイルのサイズを示す情報である。そして、印刷対象データから１ピクセル分のピクセルデータを、入力カラーデータＲＧＢとして取得し（Ｓ４）、この入力カラーデータＲＧＢを出力カラーデータＣＭＹＫへ変換する色変換処理（Ｓ７６）を実行する。この色変換処理（Ｓ７６）は、合成テーブル１５０（図１２参照）に記憶された関係に応じて、入力カラーデータＲＧＢを出力カラーデータＣＭＹＫへ変換する処理である。
【０１１６】
そして、Ｓ８からＳ１４の処理において、上述した第１実施形態のページ印刷処理（Ｓ１：図６参照）におけるＳ８からＳ１４と同一の処理を実行する。
【０１１７】
第３実施形態のページ印刷処理（Ｓ７１）によれば、第３ルックアップテーブル１４６に記憶された関係と、第４ルックアップテーブル１４７に記憶された関係との２つの関係から、記録用紙の種類に応じた適切な黒成分値が求められる。また、実施形態１および実施形態２と同様に、記録用紙の種類毎に最適な無彩色成分値を記憶する場合に比較してメモリ使用量を抑制することができる。
【０１１８】
また、記録用紙の種類に応じた調整パラメータによる色データの演算は、前記記録用紙の印刷開始時のみに行い、印刷画像の画素毎に行う必要がない。よって、記録用紙の印刷する画像サイズが大きくなったときに、実施形態１、２に比べ更に高速化できる効果もある。
【０１１９】
図１３（ｂ）は、合成テーブル作成処理（Ｓ７２）を示すフローチャートである。この合成テーブル作成処理（Ｓ７２）では、まず、記録用紙種類に応じた調整パラメータａを決定する（Ｓ７２１）。このＳ７２１の処理は、第１実施形態および第２実施形態で説明した調整パラメータ決定処理（Ｓ６８）と同一の処理であるので、詳細な説明は省略する。
【０１２０】
次に、第３ルックアップテーブル１４６と第４ルックアップテーブル１４７のサイズを取得する（Ｓ７２２）。すなわち、管理番号ｉ（図１２参照）の最大値を取得する。
【０１２１】
次に、第３ルックアップテーブル１４６の値（Ｃ3i，Ｍ3i，Ｙ3i，Ｋ3i）と、第４ルックアップテーブル１４７の値（Ｃ4i，Ｍ4i，Ｙ4i，Ｋ4i）とを、調整パラメータに応じて重み付けすることにより、合成する（Ｓ７２３）。なお、このＳ７２３では、上記（７）式で示した演算処理を行う。
【０１２２】
次に、全ての管理番号ｉについて処理をしたかを判断する（Ｓ７２４）。Ｓ７２４の判断が否定される場合（Ｓ７２４：Ｎｏ）、Ｓ７２３に戻り、次の管理番号ｉについて処理を繰り返す。
【０１２３】
このようにして処理を繰り返すうちに、Ｓ７２４の判断が肯定されると（Ｓ７２４：Ｙｅｓ）、作成された合成テーブル１５０を、合成テーブル格納エリア１３１（図１１参照）に保存し（Ｓ７２６）、処理を終了する。
【０１２４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２５】
例えば、第１実施形態および第２実施形態の色変換処理（Ｓ６，Ｓ６１０）、第３実施形態のページ印刷処理（Ｓ７１）は、ＰＣ１０，１００，２００で実行されていたが、画像形成装置４０で実行されることとしても良い。すなわち、上記第１実施形態から第３実施形態では、ＲＧＢで表現される入力カラーデータを、ＣＭＹＫで表現される出力カラーデータに変換する処理をＰＣ１０，１００，２００において実行していたが、例えば、ＰＣ１０，１００，２００または他の外部装置から入力される入力カラーデータＲＧＢに従って、画像形成装置４０が、上述した色変換処理（Ｓ６，Ｓ６１０）またはページ印刷処理（Ｓ７１）を実行するように構成されていても良い。
【０１２６】
また、第１実施形態から第３実施形態のＰＣ１０，１００，２００に接続されていた画像形成装置４０は、Ｃインク、Ｙインク、Ｍインク、Ｋインクの４色のインクを用いるものであったため、入力カラーデータＲＧＢがＣＭＹＫの４色を含む出力カラーデータＣＭＹＫに変換されていたが、ライトシアン、ライトマゼンタ、ライトブラックなど、５色以上を用いて画像を形成する画像形成装置が用いられる場合には、入力カラーデータが、画像形成装置で用いられる５色以上の色を含む出力カラーデータに変換されるものであっても良い。
【０１２７】
また、第１実施形態から第３実施形態の調整パラメータ決定処理（Ｓ６８）では、ユーザにより入力された記録用紙の種類に対応する調整パラメータａが決定されるものとして説明したが、例えば、記録用紙に付加されたＲＦＩＤ（Radio Frequency IDentification）や、バーコードを読み取ることにより、記録用紙種類を特定し、その特定された記録用紙の種類に基づいて、調整パラメータａが決定されるものであっても良い。
【０１２８】
また、ユーザが記録用紙の種類を入力することに代えて、インク定着性の感覚的な程度を、ユーザに入力させることとしても良い。例えば、記録用紙に対するインクの定着性として「良」、「中」、「悪」のいずれかをユーザに入力させる。このようにすれば、記録用紙の種類が不明であっても、ユーザの感覚に適合した適切な調整パラメータａが決定され、上述した実施形態１から実施形態３と同様の効果が得られる。
【０１２９】
また、第１実施形態および第２実施形態では、第１色データＣ１Ｍ１Ｙ１Ｋ１に含まれる各色成分値Ｃ１，Ｍ１，Ｙ１，Ｋ１に共通の重み「ａ」を乗算し、第２色データＣ２Ｍ２Ｙ２Ｋ２に含まれる各色成分値Ｃ２，Ｍ２，Ｙ２，Ｋ２に共通の重み「（１−ａ）」を乗算していた。このようにすれば、第１色データＣ１Ｍ１Ｙ１Ｋ１における各色成分値のバランスおよび第２色データＣ２Ｍ２Ｙ２Ｋ２における各色成分値のバランスを保ったまま加算され、出力カラーデータＣＭＹＫが得られる。ただし、色毎に異なる重みを乗算するように構成されていても良い。このようにすれば、より記録用紙の特性を限界まで生かした色を出力することができる。
【０１３０】
また、上述した色変換処理（Ｓ６，Ｓ６１０，Ｓ７１）の後に、さらに、ドットゲインを補正するためのインク量調整処理など、他の処理が追加されてもよい。
【０１３１】
また、第１実施形態の第１ＣＭＹＫ変換処理（Ｓ６４）では、ＬＵＴを用いた色変換処理（Ｓ６２）により得られた一次変換データＣ１Ｍ１Ｙ１に、値が０の黒成分値Ｋ１を付加することにより、第１色データＣ１Ｍ１Ｙ１Ｋ１を生成していた。これに代えて、この第１ＣＭＹＫ変換処理（Ｓ６４）を設けずに、ＬＵＴを用いた色変換処理（Ｓ６２）により変換された、一次変換データＣ１Ｍ１Ｙ１を第１色データＣ１Ｍ１Ｙ１としても良い。この場合、ＬＵＴを用いた色変換処理（Ｓ６２）が特許請求の範囲に記載の第７色変換手段に相当し、グレー成分決定処理（Ｓ６５）、補正値取得処理（Ｓ６６）、第２ＣＭＹＫ変換処理（Ｓ６７）が、特許請求の範囲に記載の第８色変換手段に相当する。
【０１３２】
また、第１実施形態の補正値取得処理（Ｓ６６）は、ＧＣＲテーブル１４３（図３参照）に記憶された関係に従って、グレー成分ｍｉｎＫに対応する補正値を取得していたが、補正値の取得はこれに限定されるものではなく、例えば、ＵＣＲ（Under Color Removal）テーブルに記憶された関係に従って、グレー成分ｍｉｎＫに対応する補正値を取得するものであっても良い。この場合、第２色データＣ２Ｍ２Ｙ２Ｋ２は、下記（８）〜（１１）式に示す演算により求めることができる。
Ｃ２＝Ｃ１−ＵＣＲ（ｍｉｎＫ）ｃ ・・・（８）
Ｍ２＝Ｍ１−ＵＣＲ（ｍｉｎＫ）ｍ ・・・（９）
Ｙ２＝Ｙ１−ＵＣＲ（ｍｉｎＫ）ｙ ・・・（１０）
Ｋ２＝ｍｉｎＫ−ＵＣＲ（ｍｉｎＫ）ｋ ・・・（１１）
ただし、ＵＣＲ（ｍｉｎＫ）ｃは、グレー成分ｍｉｎＫに対するＣの補正値であり、ＵＣＲ（ｍｉｎＫ）ｍは、グレー成分ｍｉｎＫに対するＭの補正値、ＵＣＲ（ｍｉｎＫ）ｙは、グレー成分ｍｉｎＫに対するＹの補正値であり、ＵＣＲ（ｍｉｎＫ）ｋは、グレー成分ｍｉｎＫに対するＫの補正値であり、それぞれ、予め記憶されたＵＣＲテーブルに従って取得される値である。
【図面の簡単な説明】
【０１３３】
【図１】本発明の色変換装置の第１実施形態であるＰＣと、画像形成装置との接続関係を示した接続図である。
【図２】ＰＣと画像形成装置との電気的構成を示すブロック図である。
【図３】ＧＣＲテーブルの一例を示す図である。
【図４】調整パラメータテーブルの一例を模式的に示す図である。
【図５】ＰＣで実行される色変換処理の要部を、機能単位で説明するための機能ブロック図である。
【図６】ＰＣで実行されるページ印刷処理を示すフローチャートである。
【図７】色変換処理を示すフローチャートである。
【図８】第２実施形態であるＰＣと、画像形成装置との接続関係を示した接続図であり、図２に相当する図である。
【図９】第２実施形態のＰＣで実行される色変換処理の要部を、機能単位で説明するための機能ブロック図であり、図５に相当する図である。
【図１０】第２実施形態の色変換処理を示すフローチャートである。
【図１１】第３実施形態であるＰＣと、画像形成装置との接続関係を示した接続図であり、図２に相当する図である。
【図１２】第３ルックアップテーブルと、第４ルックアップテーブルと、それらに基づいて作成される合成テーブルとの関係を模式的に示す図である。
【図１３】（ａ）は、第３実施形態のＰＣで実行されるページ印刷処理を示すフローチャートであり、（ｂ）は、第３実施形態のＰＣで実行される合成テーブル作成処理を示すフローチャートである。
【符号の説明】
【０１３４】
１０，１００，２００ ＰＣ（色変換装置の一例）
１４１，１４５，１４８ プリンタドライバ（色変換プログラムの一例）
１４２ ルックアップテーブル（第１関係記憶手段の一例）
１４３ ＧＣＲテーブル（第２関係記憶手段の一例）
１４６ 第３ルックアップテーブル（第３関係記憶手段および第５関係記憶手段の一例）
１４７ 第４ルックアップテーブル（第４関係記憶手段および第６関係記憶手段の一例）
Ｓ６２ 有彩色成分変換手段、第１色変換手段、および第１色変換工程の一例
Ｓ６４ 第１色変換手段および第１色変換工程の一例
Ｓ６５ グレー成分決定手段の一例
Ｓ６６，Ｓ６７ 第２色変換手段および第２色変換工程の一例
Ｓ６８，Ｓ７２１ 調整値決定手段および調整値決定工程の一例
Ｓ７０，Ｓ６１６ 出力値取得手段および出力値取得工程の一例
Ｓ７２ 関係作成手段および関係作成工程の一例
Ｓ７８ 出力値取得手段および出力値取得工程の一例
Ｓ６１２ 第１色変換手段の一例
Ｓ６１４ 第２色変換手段の一例
【図１】
0004826568.tif 000002
【図２】
0004826568.tif 000003
【図３】
0004826568.tif 000004
【図４】
0004826568.tif 000005
【図５】
0004826568.tif 000006
【図６】
0004826568.tif 000007
【図７】
0004826568.tif 000008
【図８】
0004826568.tif 000009
【図９】
0004826568.tif 000010
【図１０】
0004826568.tif 000011
【図１１】
0004826568.tif 000012
【図１２】
0004826568.tif 000013
【図１３】
0004826568.tif 000014